(57)【要約】【課題】ＲＣ住宅等の建築物に白蟻が侵入することをより確実に絶つことが可能な防蟻基礎構造および基礎構造に防蟻シートを施工する方法を提供する。【解決手段】本発明の防蟻基礎構造は、地盤表面から地中へと下向きに延び、建築物を下側から支持する上面視で枠状の地中基礎と、前記地中基礎の上面の少なくとも一部および前記地中基礎によって囲まれた地盤の上面を覆う防蟻シートと、前記地中基礎および前記防蟻シートの上面に設けられたスラブ基礎とを含む、ことを特徴とする。【選択図】図２
2018071176.tif 000002
【特許請求の範囲】
【請求項１】
地盤表面から地中へと下向きに延び、建築物を下側から支持する上面視で枠状の地中基礎と、
前記地中基礎の上面の少なくとも一部および前記地中基礎によって囲まれた地盤の上面を覆う防蟻シートと、
前記地中基礎および前記防蟻シートの上面に設けられたスラブ基礎とを含む、ことを特徴とする防蟻基礎構造。
【請求項２】
請求項１に記載の防蟻基礎構造において、
前記地中基礎の上面のうちの前記防蟻シートで覆われていない部分から上方に突出する複数の鉄筋が設けられた、ことを特徴とする防蟻基礎構造。
【請求項３】
請求項１又は２記載の防蟻基礎構造において、
前記防蟻シートの周端部が前記地中基礎の上面に接着剤によって固定されている、ことを特徴とする防蟻基礎構造。
【請求項４】
請求項３記載の防蟻基礎構造において、
前記接着剤は、防蟻機能を有する材料で構成されている、ことを特徴とする防蟻基礎構造。
【請求項５】
地盤表面から地中へと下向きに延び、建築物を下側から支持する上面視で枠状の地中基礎を地盤に打設するステップと、
前記地中基礎の上面の少なくとも一部および前記地中基礎によって囲まれた地盤の上面を防蟻シートで覆うステップと、
前記地中基礎および前記防蟻シートの上面にスラブ基礎を施工するステップとを含む、基礎構造に防蟻シートを施工する方法。
【発明の詳細な説明】
【技術分野】
【０００１】
本発明は、柱を鉄筋コンクリート（以下「ＲＣ造」）の骨組で構成した建築物に対して防蟻性能を付与する防蟻基礎構造および上記建築物の床下に防蟻シートを施工する方法に関する。
【背景技術】
【０００２】
従来、一般的に中低層または中高層のビル建築物の工法にＲＣ造が採用されていたが、近年、性能およびデザイン性等から一般住宅でもＲＣ造が採用されつつある。また沖縄等の低緯度地域では台風に備えてＲＣ造の住宅が採用されることが多い。ＲＣ造の基礎構造として、例えば下記特許文献１が公知である。この特許文献１の図１に開示のＲＣ住宅の基礎構造は、図８に示すように、地盤Ｅ１，Ｅ２上に設けられた鉄筋コンクリートスラブ１０３と、鉄筋コンクリートスラブ１０３の上面に平行に設けられた下地パネル１０７と、鉄筋コンクリートスラブ１０３と下地パネル１０７とを繋ぐように上下に延びる複数の防振支持脚１０４とを有している。防振支持脚１０４によって下地パネル１０７を下側から支えることで、下地パネル１０７の衝撃音を遮断することができる。
【先行技術文献】
【特許文献】
【０００３】
【特許文献１】特開２０１５−０５２２６０号公報
【発明の概要】
【発明が解決しようとする課題】
【０００４】
特許文献１に開示のＲＣ住宅では、土中に住む白蟻が地盤Ｅ１，Ｅ２上に設けられた鉄筋コンクリートスラブ１０３を這い上がって建築物の内部に侵入してくるとは考えにくい。またＲＣ住宅は木造住宅と違って、土台や柱に木材が使用されないことから、白蟻による食害の問題には着目していなかった。
【０００５】
しかしながら、特許文献１に開示のＲＣ住宅でも経年劣化によって鉄筋コンクリートスラブ１０３に亀裂が入る場合があり、かかる亀裂から白蟻が鉄筋コンクリートスラブ１０３を這い上がってきて建築物内に侵入し、木質材料で構成される各部に白蟻による食害が及ぶことが懸念される。
【０００６】
本発明は、上記のような事情に鑑みてなされたものであり、ＲＣ住宅等の建築物に白蟻が侵入することをより確実に絶つことが可能な防蟻基礎構造および基礎構造に防蟻シートを施工する方法を提供することを目的とする。
【課題を解決するための手段】
【０００７】
上記課題を解決するためのものとして、本発明の防蟻基礎構造は、地盤表面から地中へと下向きに延び、建築物を下側から支持する上面視で枠状の地中基礎と、前記地中基礎の上面の少なくとも一部および前記地中基礎によって囲まれた地盤の上面を覆う防蟻シートと、前記地中基礎および前記防蟻シートの上面に設けられたスラブ基礎とを含むことを特徴としている（請求項１）。
【０００８】
本発明によれば、枠状の地中基礎によって囲まれた地盤の上面を防蟻シートで覆っているので、地中基礎によって囲まれた地盤を住処とする白蟻が地盤上に設けられたスラブ基礎に到達することを防蟻シートによって防止することができる。このため、仮に経年劣化によりスラブ基礎に亀裂が生じた場合にも、地盤を住処とする白蟻がスラブ基礎の亀裂を通じて建築物内に侵入することを阻止することが可能となる。しかも、防蟻シートが地中基礎によって囲まれた地盤の上面よりも広い範囲を覆うように広がっており、その一部が地中基礎によって囲まれた地盤の外側をはみ出して地中基礎の上面の一部を覆うように配置されているので、白蟻が地中基礎と地盤の隙間を掻い潜ってスラブ基礎に到達することを防ぐことができる。その上、地中基礎および防蟻シートの上面にスラブ基礎が施工されることで、防蟻シートが地盤とスラブ基礎の間に挟まれるとともに地中基礎とスラブ基礎との間に挟まれて固定されるので、防蟻シートの位置ズレが生じにくくなるという利点もある。
【０００９】
上記構成において、好ましくは、前記地中基礎の上面のうちの前記防蟻シートで覆われていない部分から上方に突出する複数の鉄筋が設けられている（請求項２）。
【００１０】
上記構成によれば、地中基礎とスラブ基礎とが複数本の鉄筋によって強固に結合されるので、より頑丈な地盤構造で支持された建築物とすることができる。しかも、地中基礎の上面のうちの防蟻シートで覆われていない部分に各鉄筋を設けることで、防蟻シートが鉄筋によって貫通されることなく、防蟻シートを地中基礎の上面に配置することができる。これにより防蟻シートに鉄筋を通過させるための穴を形成しなくて済むので、防蟻シートによる防蟻効果が損なわれることを防ぐことができる。
【００１１】
上記構成において、好ましくは、前記防蟻シートの周端部が前記地中基礎の上面に接着剤によって固定されている（請求項３）。
【００１２】
上記構成によれば、防蟻シートを施工する時に防蟻シートの周端部が地中基礎の上面に接着剤によって固定されるので、防蟻シートが位置ズレしにくくなり、防蟻シートを容易に配置することができる。
【００１３】
上記構成において、好ましくは、前記接着剤は、防蟻機能を有する材料で構成されている（請求項４）。
【００１４】
上記構成によれば、地中基礎の上面と防蟻シートとを固定する接着剤が防蟻性能を有しているので、地中基礎の上面と防蟻シートとの隙間に白蟻が侵入することをより確実に防止することができる。
【００１５】
本発明の基礎構造に防蟻シートを施工する方法は、地盤表面から地中へと下向きに延び、建築物を下側から支持する上面視で枠状の地中基礎を地盤に打設するステップと、前記地中基礎の上面の少なくとも一部および前記地中基礎によって囲まれた地盤の上面を防蟻シートで覆うステップと、前記地中基礎および前記防蟻シートの上面にスラブ基礎を施工するステップとを含むことを特徴としている（請求項５）。
【００１６】
この方法によっても、上述した作用効果と同様の効果を得ることができる。
【発明の効果】
【００１７】
本発明によれば、ＲＣ住宅等の建築物に白蟻が侵入することをより確実に絶つことが可能な防蟻基礎構造および基礎構造に防蟻シートを施工する方法を提供することができる。
【図面の簡単な説明】
【００１８】
【図１】本発明の実施形態にかかる防蟻基礎構造を示す平面図である。
【図２】図１のＩＩ−ＩＩ線に沿った断面図である。
【図３】図１における点線の円ＩＩＩで囲った内側の拡大図である。
【図４】上記防蟻基礎構造の施工方法を説明するための説明図（その１）である。
【図５】上記施工方法の説明図（その２）である。
【図６】上記施工方法の説明図（その３）である。
【図７】上記施工方法の説明図（その４）である。
【図８】防蟻基礎構造の従来例を説明するための図である。
【発明を実施するための形態】
【００１９】
以下添付図面を参照しながら、本発明の実施形態について説明する。なお、以下の実施形態は、本発明を具体化した例であって、本発明の技術的範囲を限定する性格のものではない。
【００２０】
（１）防蟻基礎構造の全体構成
図１は、本発明の実施形態にかかる建築物の基礎構造のうちの地中基礎および防蟻シートの位置関係を示す平面図であり、図２は図１に示す建築物のＩＩ−ＩＩ線断面図である。これらの図に示される当実施形態の防蟻基礎構造１は、家屋等の建築物に適用されるものであり、図２に示すように、建築物を下側から支持するために上面視で枠状に打設された地中基礎２と、地中基礎２の上面に周端部が固定され、地中基礎２によって囲まれた地盤Ｅ１の上面を覆う防蟻シート１０と、地中基礎２の外周をはみ出して地中基礎２の上面全体を覆うように設けられたスラブ基礎３と、スラブ基礎３の上面から上下方向に延び、建築物の外周を構成する外周基礎５と、外周基礎５に囲まれたスラブ基礎３の上面に縦横に等間隔に設けられた複数の束４と、複数の束４の上面に敷き詰められた床材７とを備えている。図２に示すように、外周基礎５に囲まれた部分が建築物の屋内Ｓ１、その外側が建築物の屋外Ｓ２であり、これらに対応する地盤を図２中「Ｅ１」および「Ｅ２」で表している。
【００２１】
地中基礎２は、図１に示す平面視において、互いに直交するように組み合わされた複数の枠辺２Ａ〜２Ｆを有しており、そのうちの最も外側に位置する枠辺２Ａ〜２Ｅは、建築物の外周基礎５を下側から支持している。各地中基礎２は、図２に示すように、地盤Ｅ１、Ｅ２表面から地中へと下向きに延びており、地中基礎２の上面は、各地盤Ｅ１、Ｅ２の高さ位置と略同一に設定されている。枠辺２Ａ〜２Ｅの上面には、図２に示すように、深さ方向に埋め込まれた鉄筋９を介してスラブ基礎３および外周基礎５が固定されている。また屋内Ｓ１の各部屋を区切る壁を支持する枠辺２Ｆの上面には、地中基礎２の深さ方向に埋め込まれた鉄筋９を介してスラブ基礎３が固定されている。
【００２２】
鉄筋９は、地中基礎２の深さ方向に埋め込まれ、かつ地中基礎２の上面から上方に突き出した断面円形の芯材であり、スラブ基礎３および外周基礎５を地中基礎２の上面に強固に固定するために設けられている。鉄筋９の上下方向の長さは部位によって異なっており、外周基礎５を支持する地中基礎２に埋め込まれた鉄筋９は、それ以外の地中基礎２（つまり枠辺２Ｆ）に埋め込まれた鉄筋９よりも上下方向の長さが長く、地中基礎２からスラブ基礎３を貫通して外周基礎５の下側まで到達するようにしている。この鉄筋９は、外周基礎５の上側に形成される外壁に組み込まれた鉄筋に接続されることもある。
【００２３】
地中基礎２に埋め込まれる鉄筋９の本数は特に制限されないが、鉄筋９の本数を多くするほど地中基礎２とスラブ基礎３または外周基礎５との結合強度を高めることができる。これら複数の鉄筋９は、図１の上面視に示すように、地中基礎２の上面のうちの防蟻シート１０で覆われていない部分から上方に突出している。このため、複数の鉄筋９はいずれも、防蟻シート１０に接触しないようにされている。
【００２４】
防蟻シート１０は、地中基礎２によって囲まれた地盤Ｅ１の上面よりも広い範囲を覆うように広がる矩形状のシートであり、その周端部が地中基礎２に囲まれた地盤Ｅ１の外周をはみ出して地中基礎２の上面に被さって接着剤を介して地中基礎２の上面に固定されている。なお、防蟻シート１０は、各鉄筋９で囲まれる矩形状の枠よりも一回り小さくされている。防蟻シート１０は、防蟻機能を有するシート状物であれば特にその種類を問わないが、例えば、金属製のメッシュシートもしくは防蟻用の薬剤が練りこまれた樹脂成形体からなるフィルム、板材、不織布または織布を使用することができる。ここで用いられる樹脂成形体としては、ポリエチレン樹脂、ポリプロピレン樹脂、エチレン−酢酸ビニル共重合体（ＥＶＡ：Ｅｔｈｙｌｅｎｅ−Ｖｉｎｙｌａｃｅｔａｔｅ）樹脂、ポリ塩化ビニル樹脂、ポリエチレンテレフタレート樹脂などが挙げられる。
【００２５】
図３は、図１の点線で描いた円で囲まれた部分の拡大図であり、地中基礎２とその上面に塗布された接着剤１０ａと防蟻シート１０との位置関係を説明する図である。防蟻シート１０の周端部を固定するための接着剤１０ａは、図３に示すように、地中基礎２の内側面２ａと鉄筋９との間における地中基礎２の上面に線状に塗布される。そして、防蟻シート１０は、その外周縁１０ｂが接着剤１０ａと鉄筋９との間に位置するように配置される。
【００２６】
防蟻シート１０を固定する接着剤１０ａは、防蟻薬剤を含み、弾性を有するものである。この防蟻薬剤は、白蟻の侵入を防ぐ機能（防蟻機能）および流動性を有するものであれば特にその種類を問わないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（ プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等を使用することができる。
【００２７】
スラブ基礎３は、図２に示すように、枠状の地中基礎２の外周よりも一回り大きな板状のコンクリート材からなり、その外周部が地中基礎２の外側をはみ出して地中基礎２の外周縁に位置する地盤Ｅ２を覆うように施工されている。このスラブ基礎３の内側には、横方向に延びる横鉄筋３ａが設けられており、各横鉄筋３ａは、地中基礎２に埋め込まれた鉄筋９に繋がれている。
【００２８】
外周基礎５は、上記スラブ基礎３と一体に設けられ、スラブ基礎３の上面から上側に延びるコンクリート材で構成された建築物の外周の土台となる部位である。外周基礎５の下側には地中基礎２に埋め込まれた鉄筋９がスラブ基礎３を介して差し込まれている。
【００２９】
複数の束４は、スラブ基礎３と床材７との間に空間ができるように床材７を下側から支える樹脂製または金属製の部材であり、スラブ基礎３に取り付けられる基礎部４１と、床材７を上面で支える板状の支持材４３と、基礎部４１および支持材４３を繋ぐように上下に延び、上下方向に伸縮自在でかつ所望の長さとした状態でボルトおよびナットによって固定可能なレベル調整棒材４２とを有している。束４を樹脂製または金属製の部材で構成することで、仮に白蟻がスラブ基礎３の上部に侵入したとしても束４が食害に晒されないという利点がある。またレベル調整棒材４２によって上下方向の長さを調整することで床材７の高さを調整することができる。支持材４３の上面はスラブ基礎３の上面と平行とされており、床材７を下側から面で支えるように構成されている。束４の一例として、例えばフクビ化学工業株式会社製の製品名プラ木レンが挙げられる。
【００３０】
床材７は、建築物の屋内Ｓ１空間の下側に敷き詰められ、剛性を有する下地板と上面が滑らかな化粧面とされたフローリング材とによって構成されている。床材７の下面は複数の束４の支持材４３に固定されており、床材７の端面は外周基礎５の側面に接している。
【００３１】
（２）施工方法
以上のような防蟻基礎構造を施工する方法について、図４〜図７等を用いて説明する。なお、この説明の前提として、地盤Ｅ１同士の間および地盤Ｅ１と地盤Ｅ２の間には、既に鉄筋９が差し込まれた地中基礎２が打設されているものとする。
【００３２】
上記の状態から始める作業としては、まず、図４に示すように、地中基礎２の上面に接着剤１０ａを塗布する。このとき地中基礎２に埋め込まれた鉄筋９に接着剤１０ａがかからないように鉄筋９よりも屋内Ｓ１側に位置する地中基礎２の上面に線状に接着剤１０ａを塗布する。
【００３３】
次いで、図５に示すように、地中基礎２によって囲まれた地盤Ｅ１の上面を覆うように防蟻シート１０を敷設する。このとき防蟻シート１０の周端部が、地中基礎２の上面に塗布した接着剤１０ａを覆うように防蟻シート１０が敷設される。この敷設作業で使用される防蟻シート１０の枚数は、１枚に限られない。防蟻シート１０を複数枚使用する場合は、例えば、地中基礎２に比較的近い部分のみを覆うために用意された帯状の防蟻シート１０と、地盤Ｅ１の中央部を含む比較的広範な領域を覆うために用意された矩形状の防蟻シート１０とを部分的に重ね合わせつつ敷設するとよい。また玄関内の土間のように高い防蟻性能を必要とする箇所には防蟻シート１０を二重に重ねて敷設することが好ましい。
【００３４】
次に、図６に示すように、地中基礎２の鉄筋９の長手方向に対し垂直に延びるように、つまり横方向に延びるように横鉄筋３ａを接続する。そして、この横鉄筋３ａが内側に埋め込まれるように、かつ地中基礎２の上面全体および地中基礎２の周縁の地盤Ｅ２を覆うようにスラブ基礎３を施工する。これにより、各防蟻シート１０が地盤Ｅ１とスラブ基礎３とによって挟み込まれるとともに各防蟻シート１０の周端部１０ｂが地中基礎２とスラブ基礎３とによって挟み込まれて固定される。なお、スラブ基礎３の厚みは、鉄筋９の地中基礎２の表面からの突出長さよりも薄くなるように設定されている。
【００３５】
次に、図７に示すように、屋内Ｓ１と屋外Ｓ２との間に設けられた地中基礎２の上部に位置するスラブ基礎３の上側に上下方向に延びる外周基礎５を施工する。そして、外周基礎５によって囲まれた地中基礎２の上面に対して縦横に等間隔で束４を配置する。そして、束４の基礎部４１の下面に接着剤を塗布して束４をスラブ基礎３の上面に固定する。最後に、各束４上に床材７を敷き詰めることによって図２に示す本実施形態の防蟻基礎構造１が施工される。
【００３６】
（３）作用効果等
以上説明したように、上記実施形態では、建築物を支持する枠状の地中基礎２に囲まれた地盤Ｅ１から建築物内に白蟻が侵入することを防ぐための防蟻基礎構造１において、次のような特徴的な構成を採用した。
【００３７】
すなわち、上記実施形態では、地盤Ｅ１，Ｅ２表面から地中へと下向きに延び、建築物を下側から支持する上面視で枠状の地中基礎２と、地中基礎２の上面の少なくとも一部および地中基礎２によって囲まれた地盤Ｅ１の上面を覆う防蟻シート１０と、地中基礎２および防蟻シート１０の上面に設けられたスラブ基礎３とを含んでいる。このように枠状の地中基礎２によって囲まれた地盤Ｅ１の上面を防蟻シート１０によって覆うことで、地中基礎２によって囲まれた地盤Ｅ１を住処とする白蟻が地盤Ｅ１上に設けられたスラブ基礎３に到達することを防蟻シート１０によって防止することができる。このため、仮に経年劣化によりスラブ基礎３に亀裂が生じた場合にも、地盤Ｅ１を住処とする白蟻がスラブ基礎３の亀裂を通じて建築物内に侵入することを阻止することが可能となる。
【００３８】
しかも、防蟻シート１０が地中基礎２によって囲まれた地盤Ｅ１の上面よりも広い範囲を覆うように広がっており、その一部が地中基礎２によって囲まれた地盤Ｅ１の外側をはみ出して地中基礎２の上面の一部を覆うように配置されているので、白蟻が地中基礎２と地盤Ｅ１の隙間を掻い潜ってスラブ基礎３に到達することを防ぐことができる。そして、地中基礎２および防蟻シート１０の上面にスラブ基礎３が施工されることで、防蟻シート１０が地盤Ｅ１とスラブ基礎３の間および地中基礎２とスラブ基礎３との間に挟まれて固定されるので、防蟻シート１０の位置ズレが生じにくくなるという利点もある。
【００３９】
上記実施形態では、地中基礎２の上面のうちの防蟻シート１０で覆われていない部分から上方に突出する複数の鉄筋９が設けられていることで、地中基礎２とスラブ基礎３とが複数本の鉄筋９によって強固に結合されるので、より頑丈な建築物とすることができる。しかも、地中基礎２の上面のうちの防蟻シート１０で覆われていない部分に各鉄筋９を設けることで、防蟻シート１０が鉄筋９によって貫通されることなく、防蟻シート１０を地中基礎２の上面に配置することができる。これにより防蟻シート１０に鉄筋９を通過させるための穴を形成しなくて済むので、防蟻シート１０による防蟻効果が損なわれることを防ぐことができる。
【００４０】
上記実施形態では、防蟻シート１０の周端部が地中基礎２の上面に接着剤１０ａによって固定されているので、防蟻シート１０を施工する時に防蟻シート１０が位置ズレしにくくなり、防蟻シート１０を容易に配置することができる。しかも、上記接着剤１０ａが防蟻機能を有する材料で構成されているので、地中基礎２の上面と防蟻シート１０との隙間に白蟻が侵入することをより確実に防止することができる。
【００４１】
（変形例）
上記実施形態においては、地中基礎２とスラブ基礎３とを連結する鉄筋９を設ける場合を説明したが、鉄筋９を省略することもできる。同様に、スラブ基礎３の内側に設けられる横鉄筋３ａを省略してもよい。また上記実施形態では、接着剤１０ａによって防蟻シート１０の周端部を地中基礎２の上面の一部に固定する場合を説明したが、接着剤１０ａを塗布することなく、地中基礎２とスラブ基礎３とで挟み込むことによって防蟻シート１０を固定してもよい。
【００４２】
上記実施形態においては、束４の材質として樹脂製または金属製のものを用いる場合を説明したが、束４の材質は上記で挙げたものに限定されず、木製のものを用いることも可能である。また上記実施形態では、レベル調整棒材４２を上下方向に伸縮させることで床材７の高さを調整できるようにしていたが、レベル調整棒材４２は伸縮自在の棒材のみに限られず、単なる棒材であってもよいし、レベル調整棒材４２そのものを省略することもできる。
【符号の説明】
【００４３】
１  防蟻基礎構造
２  地中基礎
２ａ  内側面
３  スラブ基礎
３ａ  横鉄筋
４  束
５  外周基礎
７  床材
９  鉄筋
１０  防蟻シート
１０ａ  接着剤
１０ｂ  外周縁
４１  基礎部
４３  支持材
【図１】
2018071176.tif 000003
【図２】
2018071176.tif 000004
【図３】
2018071176.tif 000005
【図４】
2018071176.tif 000006
【図５】
2018071176.tif 000007
【図６】
2018071176.tif 000008
【図７】
2018071176.tif 000009
【図８】
2018071176.tif 000010